(57)【要約】【課題】故障が発生しても最小限の照明機能を発揮することができる冷却式ＬＥＤ照明装置を提供すること。【解決手段】  ＬＥＤを光源とする光源ユニット３と、  水冷ジャケット２０、ラジエータ２１、循環ポンプ２３及びファン２２を備えた水冷ユニット５と、  前記光源ユニット３に近接配置された回路ケース（ヒートシンク）１４を備えた空冷ユニット４と、を含んで冷却式ＬＥＤ照明装置１を構成する。又、前記水冷ユニット５の冷却機能が損なわれた場合、前記光源ユニット３に供給される電流を該光源ユニット３の放出する熱量を前記空冷ユニット４によって吸収可能な熱量以下に抑えられる値まで下げる。【選択図】図４
2010272440.tif 000002
【特許請求の範囲】
【請求項１】
ＬＥＤを光源とする光源ユニットと、
水冷ジャケット、ラジエータ、循環ポンプ及びファンを備えた水冷ユニットと、
前記光源ユニットに近接配置されたヒートシンクを備えた空冷ユニットと、
を含んで構成されることを特徴とする冷却式ＬＥＤ照明装置。
【請求項２】
前記空冷ユニットのヒートシンクを前記水冷ユニットの水冷ジャケットに密着して配置された回路ケースに形成された放熱ピン又は放熱フィンで構成したことを特徴とする請求項１記載の冷却式ＬＥＤ照明装置。
【請求項３】
前記空冷ユニットのヒートシンクを前記水冷ユニットの水冷ジャケットに形成された放熱ピン又は放熱フィンで構成したことを特徴とする請求項１記載の冷却式ＬＥＤ照明装置。
【請求項４】
前記水冷ユニットの冷却機能が損なわれた場合、前記光源ユニットに供給される電流を該光源ユニットが放出する熱量が前記空冷ユニットが吸収可能な熱量以下に抑えられる値まで下げることを特徴とする請求項１〜３の何れかに記載の冷却式ＬＥＤ照明装置。
【請求項５】
前記水冷ユニットの水冷ジャケットを挟んでこれの両側に前記光源ユニットと前記空冷ユニットを配設したことを特徴とする請求項１〜４の何れかに記載の冷却式ＬＥＤ照明装置。
【請求項６】
前記光源ユニットから順に前記水冷ユニットの水冷ジャケット、前記空冷ユニット、水冷ユニットのラジエータ及びファンを配置したことを特徴とする請求項１〜５の何れかに記載の冷却式ＬＥＤ照明装置。
【発明の詳細な説明】
【技術分野】
【０００１】
本発明は、光源ユニットを冷却するための水冷ユニットと空冷ユニットを備えたハイブリッド型の冷却式ＬＥＤ照明装置に関するものである。
【背景技術】
【０００２】
近年、車両用前照灯や屋外照明灯等の照明装置としては、水銀ランプ、キセノンランプ、ナトリウムランプ等の大光量ランプを光源とするものから、長寿命で低消費電力のＬＥＤを光源とするものへの置き換えが進んでおり、ＬＥＤを光源とするＬＥＤ照明装置に対しては更なる高出力化が望まれている。
【０００３】
ところで、現在普及しているキセノンランプは２００Ｗ〜２０００Ｗ程度の出力のものが多く、これに代わるＬＥＤ照明装置への投入電力も増加していく傾向にあり、最近では１つのＬＥＤ照明装置への投入電力が２００Ｗを超えるものも開発されてきている。
【０００４】
こうようなＬＥＤ照明装置の大電力化に伴ってＬＥＤ光源ユニットの発熱量も増加するため、温度によって寿命や出力が変化するＬＥＤ光源においては、温度をより低く安定して駆動するための冷却構造が重要な開発課題となっている。その冷却構造として例えば特許文献１には、ＬＥＤ実装基板を金属製の放熱固定板に金属製の放熱カバーによって押圧固定するとともに、該ＬＥＤ実装基板が固定された放熱固定板を透光性カバーと樹脂ケースによって形成された密閉空間内に配置し、放熱固定板には複数の放熱フィンを形成する構成が提案されている。この構成では、ＬＥＤ光源で発生した熱は、ＬＥＤ実装基板を介して放熱固定板に伝導されるとともに、放熱カバーを介して放熱固定板に伝導され、この放熱固定板に伝導された熱は放熱フィンから樹脂ケースを経て大気中に放散されるためにＬＥＤ光源が冷却される。
【０００５】
又、特許文献２には、光源としてのＬＥＤと、該ＬＥＤを空冷又は水冷可能なヒートシンクと、ＬＥＤを発光させるための電流を印加する発光回路と、照明装置が水中にあることを検出する水滴センサを備えた照明装置において、水滴センサによって当該照明装置が水中にないことが検出されると発光回路がＬＥＤに供給する電流を制限してＬＥＤの過熱を防ぎ、当該照明装置が水中にあることが検出されると発光回路がＬＥＤに高電流を供給して該ＬＥＤの発光輝度を高めるようにした構成が提案されている。
【０００６】
更に、特許文献３には、ヒートシンクを用いた空冷システムや、空冷システムと液冷システムを併用した冷却システムが提案されている。
【先行技術文献】
【特許文献】
【０００７】
【特許文献１】特開２００２−２９９７００号公報
【特許文献２】特開２００３−０４７９１４号公報
【特許文献３】特表２００７−５３７４９０号公報
【発明の概要】
【発明が解決しようとする課題】
【０００８】
ところで、水冷システム又は水冷システムと空冷システムを備えたＬＥＤ照明装置においては、光源であるＬＥＤの故障は殆どなく、故障は循環ポンプやファン等の稼働部を有する水冷システムで専ら発生する。そして、水冷システムに故障が生じた場合には、空冷システムを備えている場合であっても、ＬＥＤの過熱を防ぎ切れないためにＬＥＤ照明装置を消灯せざるを得ず、例えばガソリンスタンドや化学プラント等のような危険な作業を伴う場所での故障による消灯は大変なリスクを招くという問題がある。
【０００９】
本発明は上記問題に鑑みてなされたもので、その目的とする処は、故障が発生しても最小限の照明機能を発揮することができる冷却式ＬＥＤ照明装置を提供することにある。
【課題を解決するための手段】
【００１０】
上記目的を達成するため、請求項１記載の発明は、
ＬＥＤを光源とする光源ユニットと、
水冷ジャケット、ラジエータ、循環ポンプ及びファンを備えた水冷ユニットと、
前記光源ユニットに近接配置されたヒートシンクを備えた空冷ユニットと、          を含んで冷却式ＬＥＤ照明装置を構成したことを特徴とする。
【００１１】
請求項２記載の発明は、請求項１記載の発明において、前記空冷ユニットのヒートシンクを前記水冷ユニットの水冷ジャケットに密着して配置された回路ケースに形成された放熱ピン又は放熱フィンで構成したことを特徴とする。
【００１２】
請求項３記載の発明は、請求項１記載の発明において、前記空冷ユニットのヒートシンクを前記水冷ユニットの水冷ジャケットに形成された放熱ピン又は放熱フィンで構成したことを特徴とする。
【００１３】
請求項４記載の発明は、請求項１〜３の何れかに記載の発明において、前記水冷ユニットの冷却機能が損なわれた場合、前記光源ユニットに供給される電流を該光源ユニットが放出する熱量が前記空冷ユニットが吸収可能な熱量以下に抑えられる値まで下げることを特徴とする。
【００１４】
請求項５記載の発明は、請求項１〜４の何れかに記載の発明において、前記水冷ユニットの水冷ジャケットを挟んでこれの両側に前記光源ユニットと前記空冷ユニットを配設したことを特徴とする。
【００１５】
請求項６記載の発明は、請求項１〜５の何れかに記載の発明において、前記光源ユニットから順に前記水冷ユニットの水冷ジャケット、前記空冷ユニット、水冷ユニットのラジエータ及びファンを配置したことを特徴とする。
【発明の効果】
【００１６】
本発明によれば、循環ポンプやファン等の稼働部を有する水冷ユニットが故障によって冷却機能が損なわれた場合には、光源ユニットに供給される電流を下げ、光源ユニットが放出する熱量を空冷ユニットが吸収可能な熱量以下に抑えるようにすれば光源ユニットの過熱が防がれ、当該ＬＥＤ照明装置はその光量が低下するものの、消灯するまでもなく照明装置として機能する。
【図面の簡単な説明】
【００１７】
【図１】本発明の実施の形態１に係る冷却式ＬＥＤ照明装置の斜視図である。
【図２】図１の矢視Ａ方向の図である。
【図３】図１の矢視Ｂ方向の図である。
【図４】図３のＣ−Ｃ線断面図である。
【図５】図３のＤ−Ｄ線断面図である。
【図６】図３のＥ−Ｅ線断面図である。
【図７】本発明の実施の形態１に係る冷却式ＬＥＤ照明装置の分解斜視図である。
【図８】本発明の実施の形態１に係る冷却ＬＥＤ照明装置の水冷ユニットの基本構成図である。
【図９】出力２００Ｗでの照度分布を示す図である。
【図１０】出力５０Ｗでの照度分布を示す図である。
【図１１】出力１０Ｗでの照度分布を示す図である。
【図１２】本発明の実施の形態２に係る冷却式ＬＥＤ照明装置のハウジングを取り外した状態の斜視図である。
【図１３】本発明の実施の形態２に係る冷却式ＬＥＤ照明装置の縦断面図である。
【発明を実施するための形態】
【００１８】
以下に本発明の実施の形態を添付図面に基づいて説明する。
【００１９】
＜実施の形態１＞
図１は本発明の実施の形態１に係る冷却式ＬＥＤ照明装置の斜視図、図２は図１の矢視Ａ方向の図、図３は図１の矢視Ｂ方向の図、図４は図３のＣ−Ｃ線断面図、図５は図３のＤ−Ｄ線断面図、図６は図３のＥ−Ｅ線断面図、図７は本発明の実施の形態１に係る冷却式ＬＥＤ照明装置の分解斜視図、図８は同冷却式ＬＥＤ照明装置の水冷ユニットの基本構成図である。
【００２０】
本発明の実施の形態１に係る冷却式ＬＥＤ照明装置１は、図４〜図７に示すように、矩形ボックス状のハウジング２の内部に光源ユニット３と空冷ユニット４及び水冷ユニット５を組み込んで構成されている。尚、以下の説明における冷却式ＬＥＤ照明装置１の上下は図１に示す状態においてのものであって、該冷却式ＬＥＤ照明装置１の設置が必ずしも図１に示す状態でなされる訳ではない。
【００２１】
上記ハウジング２は、ＰＣ等の樹脂或はアルミニウム等の金属で構成されており、図１に示すように、その周面には縦方向の長い複数のスリットから成る吸気口６が形成され、上面には扇形の複数のスリットから成る排気口７が形成されている。そして、このハウジング２の下面は開口しており、この開口部には前記光源ユニット３が嵌め込まれて固定されている。
【００２２】
上記光源ユニット３は、図４〜図７に示すように、光源であるＬＥＤ８（図８参照）を実装して成る複数（図示例では９枚）のメタル基板９と、これらのメタル基板９を取り付ける矩形プレート状のベース１０及びハウジング２の下面開口部に嵌め込まれる矩形プレート状の透明な樹脂製のレンズ１１を含んで構成されている。尚、図７において、１２はケーブルコネクタである。
【００２３】
本実施の形態では、ＬＥＤ８を実装して成る９枚のメタル基板９は縦横３列のマトリックス状に配置されており、これに対応してアルミダイキャスト製のベース１０にもＬＥＤ８と同数の台座１０ａ（図４及び図６参照）が縦横３列のマトリックス状に一体に突設されている。そして、各メタル基板９は、矩形の熱伝導性シート１３を介してベース１０の各台座１０ａにネジ止めによって固定されている。尚、各熱伝導シート１３は、絶縁性と熱伝導率の高いシリコン等によって構成されている。
【００２４】
又、前記空冷ユニット４は、図７に示すように、下面が開口する矩形ボックス状の回路ケース１４がヒートシンクとして機能しており、該回路ケース１４の内部には不図示の各種電子部品が実装された回路基板１５が組み込まれ、その下面開口部は矩形プレート状のカバー１６によって覆われている。ここで、回路ケース１４は熱伝導率の高いアルミダイキャスト等によって成形されており、その上面には放熱部を構成する多数の放熱ピン１７が一体に突設されている。そして、この回路ケース１４の内部上面には回路基板１５が絶縁性と熱伝導率の高いシリコン等から成る矩形の熱伝導シート１８を介して密着されている。尚、回路ケース１４とカバー１６との接合部にはＯリング１９が介装されており、このＯリング１９のシール作用によって回路ケース１４内が密封され、外部から回路ケース１４内への水等の浸入が防がれている。又、本実施の形態では、回路ケース１４に放熱ピン１７を突設したが、この放熱ピン１７に代えて放熱フィンを回路ケース１４に形成しても良い。
【００２５】
前記水冷ユニット５は、図４〜図８に示すように、熱交換器である水冷ジャケット２０と、該水冷ジャケット２０において受熱して温度が高くなった冷却水を外気（冷却風）との熱交換によって冷却するラジエータ２１と、該ラジエータ２１に冷却風を供給するファン２２と、冷却水を閉ループの循環経路内で循環させる循環ポンプ２３及び冷却水を貯留するリザーブタンク２４を備えており、ファン２２はラジエータ２１と対向してこれの上方に配置されている。
【００２６】
ところで、上記水冷ジャケット２０は、中空の矩形板状に成形されており、図４〜図６に示すように、その内部には冷却水通路が形成されている。そして、この冷却ジャケット１０の一端上には、図５及び図７に示すように、ラジエータ２１において外気（冷却風）との熱交換によって冷却された冷却水が流入する入口パイプ２５と、当該水冷ジャケット２０において受熱して温度が高くなった冷却水を排出する出口パイプ２６が立設されている。
【００２７】
而して、本実施の形態では、図４及び図６に示すように、ハウジング２内下部の底部に水冷ジャケット２０が水平に配置されており、この水冷ジャケット２０を挟んでこれの上下に空冷ユニット４と光源ユニット３が配置されている。ここで、水冷ジャケット２０の下面側に配された光源ユニット３は、そのベース１０が矩形の熱伝導シート２７を介して水冷ジャケット２０の下面に密着している。尚、本実施の形態では、熱伝導シート２７は、絶縁性と熱伝導率の高いシリコン等によって構成されている。
【００２８】
又、空冷ユニット４は、そのカバー１６が水冷ジャケット２０の上面に密着する状態で該水冷ジャケット２０の上面側に配置されている。尚、本実施の形態では、冷却水として水にプロピレングリコールを混合して成る不凍液が使用されている。
【００２９】
他方、図４及び図６に示すように、ハウジング２内の水冷ジャケット２０から離間した上部には前記ラジエータ２１とファン２２が配置されており、水冷ジャケット２０とラジエータ２１との間には空間部Ｓが形成され、この空間部Ｓに空冷ユニット４と前記循環ポンプ２３及び前記リザーブタンク２４が配置されている。具体的には、水冷ジャケット２０上には門型のシャーシ２８が立設されており、このシャーシ２８によって囲まれる空間に空冷ユニット４が配され、シャーシ２８上に循環ポンプ２３とリザーブタンク２４が設置されている。
【００３０】
ここで、図５及び図８に示すように、水冷ジャケット２０の出口パイプ２６から上方へ立ち上がる配管（ゴムホース）２９は、ラジエータ２１の入口パイプ３０に連結されており、ラジエータ２１の出口パイプ３１から延びる配管（ゴムホース）３２は、下方に延びた後に略直角に曲げられて循環ポンプ２３の吸入側に接続されている。そして、循環ポンプ２３の吐出側から延びる配管（ゴムホース）３３は、図８に示すようにリザーブタンク２４の入口側に接続されており、リザーブタンク２４の出口側から下方に延びる配管（ゴムホース）３４は水冷ジャケット２０の入口パイプ２５に接続されている。このように水冷ジャケット２０、ラジエータ２１、循環ポンプ２３及びリザーブタンク２４は配管（ゴムホース）２９，３２〜３４によって連結されて開ループを成す循環経路が形成されており、この循環経路を冷却水が循環することによって所要の冷却作用がなされる。
【００３１】
而して、以上のように構成された冷却ＬＥＤ照明装置１が起動されて光源ユニット３と回路ケース１４内の回路基板１５及び水冷ユニット５に電源が供給されると、光源ユニット３の複数（本実施の形態では９個）のＬＥＤ８が発光し、その光はレンズ１１を透過して図１の下方に向かって照射されることによって前方を照明するが、光源ユニット３の点灯制御は回路ケース１４内の回路基板１５によってなされ、駆動中において光源ユニット３のＬＥＤ８及び回路基板１５の各種電子部品（不図示）が発熱し、そのままでは光源ユニット３と回路基板１５が過熱されて温度が上昇する。
【００３２】
然るに、本実施の形態では、水冷ユニット５が同時に駆動され、光源ユニット３と空冷ユニット４のヒートシンクとしての回路ケース１４は、前述のように図８に示す循環経路を循環する冷却水によって強制冷却されてその温度上昇が抑えられる。又、光源ユニット３と回路基板１５において発生した熱は回路ケース１４へと伝導し、回路ケース１４の表面及び多数の放熱ピン１７から放熱し、この放熱はファン２２によって吸気口６からハウジング２内に導入されて排気口７へと向かって流れる冷却風によって促進される。
【００３３】
水冷ユニット５において、循環ポンプ２３によって循環経路を循環する冷却水は、水冷ジャケット２０において光源ユニット３及び回路基板１５において発生する熱を受熱して光源ユニット３及び回路ケース１４とその内部の回路基板１５を冷却し、受熱して温度の高くなった冷却水は、配管２９を通ってラジエータ２１へと導入される。
【００３４】
他方、ファン２２が不図示のモータによって回転駆動されると、外気がハウジング２の周面に形成された吸気口６から冷却風としてハウジング２内に側方から吸引され、この冷却風は水冷ジャケット２０とラジエータ２１との間に形成された空間部Ｓを上方に向かって流れ、その過程でラジエータ２１を通過し、ハウジング２の上面に開口する排気口７から外部に排出される。そして、ラジエータ２１においては、ここを通過する冷却風によって冷却水の熱が外部に放熱されて該冷却水が冷却され、温度の下がった冷却液水は、配管３２を通って循環ポンプ２３に吸引される。
【００３５】
循環ポンプ２３に吸引された冷却水は昇圧された後に循環ポンプ２３から配管３３を通ってリザーブタンク２４へと送り出され、その一部はリザーブタンク２４に貯留され、残りの冷却水はリザーブタンク２４から配管３４を通って水冷ジャケット２０へと導入されて光源ユニット３と回路ケース１４とその内部の回路基板１５の冷却に供される。そして、以上の作用（冷却サイクル）が連続的に繰り返されて光源ユニット３と回路ケース１４及び回路基板１５が水冷ジャケット２０を流れる冷却水によって強制冷却され、それらの温度上昇が一定値以下に抑えられる。
【００３６】
而して、本実施の形態では、水冷ジャケット２０を挟んでこれの上下に制御回路ユニット４と光源ユニット３を配置したため、循環ポンプ２３によって冷却水が閉ループの循環経路を循環することによって、水冷ジャケット２０の両側に配された光源ユニット３と回路ケース１４及び回路基板１５が冷却水によって同時に強制冷却される。又、空冷ユニット４での放熱によって回路ケース１４と回路基板１５が空冷される。この結果、これらの光源ユニット３と回路基板１５の温度上昇が抑えられて当該水冷式ＬＥＤ照明装置１の高出力化が実現される。
【００３７】
又、本実施の形態では、回路ケース１４の下面を水冷ジャケット２０に密着させ、上面に放熱部を構成する多数の放熱ピン１７を突設したため、回路ケース１４が冷却水によって強制冷却されると同時に放熱ピン１７から自然放熱されるため、該回路ケース１４及びその内部の回路基板１５が効率良く冷却されてそれら温度上昇が一層効果的に抑えられる。
【００３８】
更に、本実施の形態では、光源ユニット３はその全面が熱伝導率の高い熱伝導シート２７を介して水冷ジャケット２０の下面に密着するため、光源ユニット３の全面が伝熱面となって該光源ユニット３が冷却ジャケット２０を流れる冷却水によって効率良く冷却される。因に、熱伝導シート２７を用いないで光源ユニット３の全面を水冷ジャケット２０に密着させることは困難であり、実際には光源ユニット３は水冷ジャケット２０に部分的にしか接触しないため、その冷却効率を高めることは不可能となる。或いは、熱伝導シート２７を用いないで光源ユニット３の全面を水冷ジャケット２０に密着させるには、光源ユニット３の金属製のベース１０と同じく金属製の水冷ジャケット２０の接合面を研磨加工等によって平滑に仕上げ加工すれば良いが、このような仕上げ加工には多大な工数と時間及びコストを要するために現実的ではない。
【００３９】
又、本実施の形態では、水冷ユニット５の水冷ジャケット２０とラジエータ２１との間に形成された空間部Ｓに空冷ユニット４を配置したため、ファン２２によってハウジング２内に導入された冷却風が空間部Ｓを流れることによって回路ケース１４と回路基板１５が強制空冷され、冷却水によっても強制冷却される回路ケース１４と回路基板１５が一層効率良く冷却されてそれらの温度上昇が効果的に抑えられるという効果も得られる。
【００４０】
而して、本発明に係る冷却式ＬＥＤ装置１においては、水冷ユニット５の稼働部であるファン２２や循環ポンプ２３の故障等によって該水冷ユニット５の冷却機能が損なわれた場合、光源ユニット３に供給される電流を該光源ユニット３が放出する熱量が空冷ユニット４が吸収可能な熱量以下に抑えられる値まで下げるようにしたことを特徴とする。
【００４１】
従って、水冷ユニット５が故障によってその冷却機能が損なわれた場合には、光源ユニット３に供給される電流が下げられ、光源ユニット３が放出する熱量が空冷ユニット４が吸収可能な熱量、つまり回路ケース１４及び放熱ピン１７からの自然放熱によって放出される熱量以下に抑えられるために光源ユニット３の過熱が防がれ、当該水冷式ＬＥＤ照明装置１はその光量が低下するものの、消灯するまでもなく照明装置として機能する。このため、例えばガソリンスタンドや化学プラント等のような危険な作業を伴う場所での故障による消灯が避けられて安全が確保される。
【００４２】
本実施の形態に係る冷却式ＬＥＤ照明装置１においては、空冷ユニット４と水冷ユニット５が正常に機能している場合にＬＥＤ８のジャンクション温度が１００℃を超えない範囲での出力は２００Ｗとなる。このときの照度分布を図９に示すが、同図より明らかなように、８ｍ四方を照度５ｌｘ以上で照らすことができる。尚、この場合の照度は、ＬＥＤ照明装置を６ｍの高さに設置した場合の値である（図１０及び図１１に示す照度分布も同じ）。又、図９において、縦軸は地面上の左右方向の距離、横軸は地面上の前後方向の距離であり、図中の数字は照度（ｌｘ）を示す（図１０及び図１１についても同じ）。
【００４３】
水冷ユニット５に故障が発生してその冷却機能が損なわれた場合、光源ユニット３への供給電流を前述のように下げれば、出力の低下を正常値２００Ｗの１／４の５０Ｗに抑えることができる。この場合、暗くなるものの、照明としての機能が損なわれることはない。このときの照度分布を図１０に示すが、同図より明らかなように、６ｍ四方を照度５ｌｘ以上で照らすことができる。
【００４４】
因に、空冷ユニット４を備えず、水冷ユニット５のみを備えたＬＥＤ照明装置では、水冷ユニット５が故障した場合には、水冷ジャケット２０の表面からの自然放熱のみとなるため、ＬＥＤ８のジャンクション温度が１００℃を超えない範囲での出力は正常値２００Ｗの１／２０の１０Ｗとなる。このときの照度分布を図１１に示すが、同図より明らかなように、照度５ｌｘの照明範囲は３ｍ以内に狭められる。
【００４５】
＜実施の形態２＞
次に、本発明の実施の形態２を図１２及び図１３に基づいて説明する。
【００４６】
図１２は本発明の実施の形態２に係る冷却式ＬＥＤ照明装置のハウジングを取り外した状態の斜視図、図１３は同ＬＥＤ照明装置の縦断面図である。
【００４７】
本実施の形態に係る水冷式ＬＥＤ照明装置１’は、空冷ユニット４のヒートシンクを水冷ユニット５の水冷ジャケット２０に形成された多数の放熱ピン１７で構成したことを特徴としており、他の構成は前記実施の形態１に係る水冷式ＬＥＤユニット１のそれと同じである。従って、図１２及び図１３においては、図１〜図８に示したものと同一要素には同一符号を付しており、以下、それらについての再度の説明は省略する。
【００４８】
而して、本実施の形態においても、前記実施の形態１と同様に、水冷ユニット５の稼働部であるファン２２や循環ポンプ２３の故障等によって該水冷ユニット５の冷却機能が損なわれた場合、光源ユニット３に供給される電流を該光源ユニット３が放出する熱量が空冷ユニット４が吸収可能な熱量以下に抑えられる値まで下げるようにしている。
【００４９】
従って、水冷ユニット５が故障によってその冷却機能が損なわれた場合には、光源ユニット３に供給される電流が下げられ、光源ユニット３が放出する熱量が空冷ユニット４が吸収可能な熱量、つまり水冷ジャケット２０及び放熱ピン１７からの自然放熱によって放出される熱量以下に抑えられるために光源ユニット３の過熱が防がれ、当該水冷式ＬＥＤ照明装置１’はその光量が低下するものの、消灯するまでもなく照明装置として機能するという前記実施の形態１と同様の効果が得られる。
【００５０】
尚、本実施の形態では、水冷ジャケット２０に放熱ピン１７を形成したが、この放熱ピン１７に代えて放熱フィンを水冷ジャケット２０に形成しても良い。又、放熱ピン１７や放熱フィンは水冷ジャケット２０に一体に形成しても良く、或は別体の放熱ピン１７や放熱フィンをロウ付けやカシメ、ネジ締結等によって水冷ジャケット２０に固定しても良い。ロウ付け等によって別体の放熱ピン１７や放熱フィンを水冷ジャケット２０に固定する場合には、ピンやフィンはバネ状の細い金属や蛇腹状の薄い金属であっても良く、自然放熱部の形状としては一般的に使用されるヒートシンクのものをそのまま使用することができる。
【符号の説明】
【００５１】
１，１’    水冷式ＬＥＤ照明装置
２          ハウジング
３          光源ユニット
４          空冷ユニット
５          水冷ユニット
６          吸気口
７          排気口
８          ＬＥＤ
９          メタル基板
１０        ベース
１０ａ      ベースの台座
１１        レンズ
１２        ケーブルコネクタ
１３        熱伝導シート
１４        回路ケース
１５        回路基板
１６        カバー
１７        放熱ピン
１８        熱伝導シート
１９        Ｏリング
２０        水冷ジャケット
２１        ラジエータ
２２        ファン
２３        循環ポンプ
２４        リザーブタンク
２５        水冷ジャケットの入口パイプ
２６        水冷ジャケットの出口パイプ
２７        熱伝導シート
２８        シャーシ
２９        配管（ゴムホース）
３０        ラジエータの入口パイプ
３１        ラジエータの出口パイプ
３２〜３４  配管（ゴムホース）
Ｓ          空間部
【図１】
2010272440.tif 000003
【図２】
2010272440.tif 000004
【図３】
2010272440.tif 000005
【図４】
2010272440.tif 000006
【図５】
2010272440.tif 000007
【図６】
2010272440.tif 000008
【図７】
2010272440.tif 000009
【図８】
2010272440.tif 000010
【図９】
2010272440.tif 000011
【図１０】
2010272440.tif 000012
【図１１】
2010272440.tif 000013
【図１２】
2010272440.tif 000014
【図１３】
2010272440.tif 000015